(57)【特許請求の範囲】
【請求項１】
グループ化によって一体化された開放機構を備える航空機非常口ドアであって、このドア開放機構のグループ化が、標準寸法の窓側に位置するストリップをグループ化する際に実施され、その点において、このストリップにおける前記グループ化は、ラッチ及びロック部を備える前記ドアをブロック／ロックするための機構が装着されているロックシャフトに対して、メインシャフトに装着されるドア開放部の内部ハンドルを備え、前記ドアの条件付き開放のための少なくとも１つの機構は、前記ドアに配置された通気フラップと、前記内部ハンドルに前記フラップを連結するために前記ドアに配置された枢軸連結部と、前記フラップのブロック及びロック解除用の第１及び第２の支持体を装備した各先端での加圧レバーを有するブロックシャフトとを備え、条件付きの開放機構に逆らって適合させたリターンスプリングが、航空機の内部と外部との間の残留圧力の変動状態における減圧を用いることによって、当該フラップの開放を可能にして、前記フラップが過圧状態で開放するのを防止するために調整される、航空機非常口ドア。
【請求項２】
前記第１及び第２のブロック部並びにブロック解除部の支持体が、前記ブロックシャフト及びドア取り付け部にそれぞれしっかりと固定されているストッパ及びカムにそれぞれ接触することができ、残留圧力の変動状態で、前記加圧レバー及び前記フラップが、前記内部ハンドルの作動によって共同して移動することで、前記フラップを開放することができ、過圧状態で、前記フラップがドアに留まり、同時に前記第１の支持体が前記フラップをブロックするために前記ストッパと接触する、請求項１に記載の非常口ドア。
【請求項３】
出口開放ボタンが、開放カムを作動させるために前記通気フラップの外面に設けられ、前記加圧レバーを外して前記航空機の前記外部から前記ドアの開放を可能にする、請求項１又は２に記載の非常口ドア。
【請求項４】
ブロック／ロック機構が、ロック部ごとにブロックラッチを備え、そのロック部が、開放位置で前記ドアの枢動及び保持用のヒンジに逆らって実質的に取り付けられ、このタイプの取り付けによって、前記航空機の相対方位角で前記ドアのいかなる移動もブロックすることを可能にしている、請求項１に記載の非常口ドア。
【請求項５】
前記ブロック／ロック機構は、各ロック部と組み合わさったラッチ及び逆ラッチブロック組立体によって形成され、各組立体の逆ラッチ及び前記ロック部によって、同一の前記ロックシャフトに取り付けられ、単一部品を形成する、請求項１に記載の非常口ドア。
【請求項６】
前記ロック機構が解かれるとき、前記ラッチは前記ロック部を覆い、所定位置に前記ラッチを保持するように構成されて、前記ドアをしっかりと固定された状態に保つ、請求項４又は５のいずれか一項に記載の非常口ドア。
【請求項７】
前記逆ラッチは前記ラッチ内部で突出部を形成するように構成され、前記ロック機構の破損が生じるとき、ストッパの構築を可能にする、請求項５に記載の非常口ドア。
【請求項８】
氷破壊機構がストリップをグループ化する機構でも一体化され、この氷破壊機構は、前記メインシャフトに取り付けられるカムを前記ストリップの各先端で設けており、各カムは、リターンスプリングに接続された枢動するランプ部よって誘導されて、順番に、前記内部ハンドルによる前記ロックシャフトの前記作動によって、客室の前記内部の方へ、最小の幅を有するドア開放シーケンスを開始し、特定の氷厚を壊す、請求項１に記載の非常口ドア。
【請求項９】
ストリップをグループ化する前記ドア開放機構は、前記窓より上に水平に延在し、前記ドアは、非常用ドアの上部端と実質的に一致する水平軸に従って枢動することにより開放可能であることによって、前記フラップが、前記ストリップに配置され、及び／又は、前記窓の下に並置され、前記メインシャフト及び前記フラップのブロック用前記シャフトを接続する連結用接続棒と接続される、請求項１に記載の非常口ドア。
【請求項１０】
航空機非常口ドアの開放／閉鎖方法であって、このドアは前記航空機の翼の上に位置して、前記ドアの閉鎖カイネマチックスが、逆の順序で上記開放工程を繰り返えすことによって、前記客室の避難ができるようにし、この方法は、航空機胴体の骨組に配置されるドアの開放カイネマチックスを実施する工程を備え、メインシャフト周辺の単一枢動シーケンスで内部ハンドルに用いられる単一動作によって連続して開始される以下の一連の工程に応じて、前記ドアは、その輪郭が前記胴体に合わせられた状態で閉鎖位置にある初期状態から始まり：
−前記客室と前記航空機の前記外部との間の圧力変動が特定の残差値より低いときに、前記条件付き開放機構の通気フラップを開放する第１の工程と。
−前記メインシャフトを解放することによって前記ロック解除を完了するように、前記ロック部をブロック解除し、これらのブロック解除されたロック部を格納するために前記ラッチ移動の作動によってブロック解除／ロック解除する工程と。
−前記客室の前記内部の方へ前記ドアの傾斜移動を起こし、前記メインシャフトの回転によって前記ドアを開放する工程と。
−前記ドアの骨組の中への誘導及び前記胴体ストッパのバイパス部と共同して、前記胴体と平行に実質的に並進する工程と。
−横に配置されるアクチュエータによって、この回転が支援され、前記ヒンジの回転軸周辺で同調する前記ドアを枢動する工程と、を備える方法。
【請求項１１】
所定の閾値より高い、前記航空機の前記内部と前記外部との間の過圧状態が実現している間、前記条件付き開放機構をブロックして、前記第１の工程の間に前記通気フラップの前記開放を防止する、請求項１０に記載の開放方法。
【請求項１２】
最小の幅で前記客室の前記内部の方へ前記ドアを開放する予備工程は、前記メインシャフトに取り付けられる破壊カムの回転の始動によって開始され、リターンスプリングに連結される誘導ランプ部と共同して、この工程が、前記通気フラップの前記開放工程後かつ前記ブロック解除／ロック解除工程の前に実施されている、請求項１０又は１１のいずれか一項に記載の開放方法。
【請求項１３】
予備回転の前記始動が、氷を破壊するように設計されており、前記破壊カムの適切な構成従う前後に動く回転／逆回転によって実施される、請求項１１に記載の開放方法。
【発明の詳細な説明】
【技術分野】
【０００１】
本発明は、一体化した開放機構を備えた航空機非常口ドア、即ち、ドアの切り詰められた空間に集約する非常口ドア、並びに、このタイプの非常口ドアを開放／閉鎖する方法に関する。
【背景技術】
【０００２】
航空機の非常口ドアは、一般に、「翼上非常口ドア」として既知の航空機の翼ユニットより上に位置する。一般的に、航空機は、翼の上に１つ又は２つの非常口ドアを備え付けられており、それは胴体の両側に位置する。非常時の乗客の避難は、このドアの基本的機能である。
【０００３】
一般的に、航空機ドアの開放カイネマチックスは、例えば搭乗ドア又は非常用ドアは、相互に続くいくつかの工程、即ち、安全ラッチを用いてロックを解放した後のロック解除、それから、適切な誘導による客室内部の方へ、ドア骨組からのドアの解放、更には、回転軸周辺でヒンジと共同したアクチュエータによるドアの枢動に分類される。閉鎖のために、これらの移動が、逆カイネマチックスに従って相互に続く。
【０００４】
非常事態では、最小限の時間で最小限の操作のドア開放を始動させることでき、その間中、開放部を安全なものとすることが必要とされる。
【０００５】
規定によって、現在、非常口を妨げずに移動可能な非常用ドアが必要とされている。これに対応するために、翼上の非常口ドアは、搭乗タイプ又は客室サービスタイプのドア構造を再利用し、大きさの縮小を施すように設計されている。客室タイプの備品は、客室で加圧され、ヒンジを備え、内部ハンドル及び連結アームの駆動後に自動的に開放し、それからドアが胴体に沿って開かれたままの状態となる。
【０００６】
規定によると、これらの搭乗タイプの翼上ドアは、それらの複雑さのため、「危険である」として証明されているが、従来の翼上ドア（とびら口として既知のヒンジのないドアは、非常開放が行われるとすぐに、翼上に投げ出され得る）は、翼上ドアの表面積が、胴体の通路のドアより大きく、飛行中に開放する可能性が非常に低いため「危険ではない」と考えられていた。従って、搭乗及びサービスドアのすべての機能は、翼上の非常用ドアに集約しなければならず、故に、大いに減少した表面積で、そのような大型の窓の存在によりいっそう、同一の胴体の窓は、現在、非常用ドア用に必要とされている。
【０００７】
いわゆる「危険である」ドアのすべての機能に加えて、−ロック／ロック解除状態中のラッチ／ロック部による二重の安全装置、安全な開放／閉鎖機構、視覚インジケータ、及び近接センサ、ドアが正常に閉まらない場合の非常開放及び加圧ブロック機構の支援が集約されるために、−別のパラメータ、即ち、この翼上ドアに対する特定の乗客の付近が考慮されなければならず、それゆえ、これらの乗客は、このタイプのドアの存在と関係している熱的及び音響的問題の影響下に置かれる。結果的に、音響パッチ又は熱的カバーをそこに設置できるようにするため、ドア構造体に最大の空間を確保することが重要である。
【０００８】
横方向のストッパ上で支持されている航空機非常用ドアは、例えば、米国特許第５０３１８６３号明細書により既知であり、ストッパがガイドのローラー上で動き、ドアの境界に位置する２つのラッチよってしっかり固定されている。ドアの一般的なカイネマチックスは、ストッパをパイパスするために、内部に向けての移動と、それからドア上部への上昇移動から成る。ドアの底部は、ランプ部に誘導され、それから、ドアが上方へ自動的に開き、圧縮ばねを備える連結棒よって押し出される。ドアは、先端部分でスワンネック形状の２本のアームから成るヒンジによって関節でつながれている。ドアの上昇は、ハンドルの先端部分に接続したカムよって開始される。内部ハンドルは、窓より上に配置され、上部から下方への移動で作動する。
【０００９】
このドアは、規定に記載の「危険である」、即ち、ロック／ロック解除状態を有した二重の安全装置及び加圧ブロックが設けられていないタイプのドアのすべての機能を実行するというわけではない。加えて、このドアは内部から閉じることができるだけであり、ロック機構がドアの底部でフックする。
【００１０】
特許文献米国特許第５９３１４１５号は自動開放タイプのドアに関し、ストッパをバイパスするために下降部と連結した内部に向けての開放カイネマチックスを提唱している。当該誘導は、ドアの上部に開放カイネマチックスをもたらすために、ランプ部の支持によって実行されるのに対して、ドアの底部が下方へ、次に外部への移動に続く。ドアは、開放が行われるとき、自動的に係合するラッチのおかげで開放位置に維持される。加えて、外部ハンドルは、ラッチのシャフトに接続されるが、内部ハンドルは、この組立体に対して関節でつながれる。
【００１１】
加えて、このドアは、ドアが完全に閉じられていない（規定に記載の「危険ではない」ドア基準）場合、与圧を防止するシステムを備えていない。この機構の通気パネルは、低与圧による飛行の場合にはドアが開放するのを防止するために、圧力ロック部として使用される。加えて、このドアは、ロック部の１つが破損したとしても、安全システムを有してはいない。最終的に、このドアのカイネマチックスは複雑であり、安全機能が果たされない。
【００１２】
加えて、特許文献国際公開第２０１３１２８２１９号に記載のドアは、ガスアクチュエータによって上昇するアーム及び一組のロッカーバーによって上部に関節でつながれる。仮想的なヒンジの切点は、胴体の外部にある。ドアは、ストッパをバイパスするために、狭い幅の移動の後、内部の方へ次に上方に向かって開放する。内部ハンドルは水平軸を有し、窓より上に位置して、上部から下方へ操作する。内部ハンドルは、非常モード（トボガンが作動状態になる）及び保守モード（トボガンが非作動状態になる）の際に開放することを可能にする。
【００１３】
ドアの外部に位置する瞬間的な中心での回転を伴う特定のカイネマチックスに加えて、この組立体は、ロック及びロック解除の二重の安全装置と、加圧ブロック機構（このドアの分類が、規定に記載の「危険ではない」という理由から）の観点から安全な条件を満たしていない。
【先行技術文献】
【特許文献】
【００１４】
【特許文献１】米国特許出願第５０３１８６３号
【特許文献２】米国特許出願第５９３１４１５号
【特許文献３】国際公開第２０１３１２８２１９号
【発明の概要】
【発明が解決しようとする課題】
【００１５】
本発明の目的は、規定に記載の「危険である」として既知のドアが実現しなければならない主な条件、即ち、ロック及びロック解除の二重の安全装置、並びに安全な開放／閉鎖機構、非常開放による支援、及びドアの不正確な閉鎖が発生した場合の加圧ブロック機構を満たすことである。本発明の目的はまた、切り詰められた空間に、−即ち、標準寸法の窓を備えている非常用ドア上に、これらの機能の併用ができるようにグループ化された機能的な機構を提供し、−ドアの開放／閉鎖カイネマチックスを容易にすることである。
【課題を解決するための手段】
【００１６】
この目的のために、本発明は、このような一体化した機構の集結に好適なカイネマチックスを展開すると同時に、第１の翼上ドアの開放動作による通気フラップと、このドアのブロック／ロックと、ドアの第２の開放動作との開放機構、そして、単に内部ハンドルの操作だけによるドアの回転部を集結させている。
【００１７】
この目的のための本発明の対象は、グループ化によって一体化される開放機構を備える航空機の非常口ドアである。ドア開放機構のこのグループ化は、標準寸法を有する、即ち、この航空機の他の窓と類似している窓の一端に位置するストリップをグループ化する中で実施される。このタイプのストリップでは、グループ化は、ラッチ及びロック部を備えるドアをブロック／ロックするために、機構に装着されているロックシャフトに連関したメインシャフトに装着されるドア開放の内部ハンドルを備える。条件付きドア開放のための少なくとも１つの機構は、ドアに配置された通気フラップと、内部ハンドルに通気フラップを連結するためにドアに配置された枢軸連結部と、フラップのブロック及びブロック解除用の第１及び第２の支持体を備え付けた各先端での加圧レバーを有するブロックシャフトとを備える。条件付き開放機構に逆らって装着されるリターンスプリングは、圧力変動状態、即ち、ほぼゼロ（例えば１ｐｓｉ未満）である航空機の内部と外部との間の残留圧力の変動を伴う標準状態での減圧を用いることによって当該フラップの開放を可能にするために、そして、フラップが過圧状態で開放するのを防止するために調整される。
【００１８】
標準状態では、航空機の当該内部と外部圧力との間の変動は、通常は１ｐｓｉ未満残留し、過剰圧力又は与圧の状態が、特に航空機が特定の高度に達するときに、通常は２ｐｓｉより大きな圧力変動を伴い存続する。
【００１９】
好ましい実施形態によれば、第１及び第２のブロック及びブロック解除支持体は、ブロックシャフト及びドア取り付け部にそれぞれしっかりと固定されているストッパ及びカム上でそれぞれ接触状態となる。残留圧力の変動状態では、加圧レバー及びフラップは、内部ハンドルの作動によって、共同して移動させることができ、フラップが開放することができてもよい。過剰圧力状態では、フラップはドア上に留まり、次に、第１の支持体が、フラップをブロックするためにストッパと接触状態となる。
【００２０】
過剰圧力状態では、フラップはドア上に留まる。続いて、ブロックシャフトが、内部ハンドルが上昇するときに回転し、第２の支持体が各カムの下で転動して、第１の支持体がフラップをブロックするためにストッパと接触状態になることができる。
【００２１】
加圧レバーを備える機構によって、システムがフラップ及びドアの開放を防止することができ、飛行を安全にする。このように、過剰圧力が持続する（航空機の特定の高度から始まる）場合、乗客は、非常口ドアを開くことができない。
【００２２】
有利な特性によれば：
−出口開放ボタンは、開放カムを作動させるために通気フラップの外面に設けられ、加圧レバーを分離し、従って航空機の外部からドアの開放を可能にする。
−支持体は、ローラーである。
−原則では、ばねは実質的に１ｐｓｉに調整され、しかし、ばねの剛性は、機体の製造業者の計画通りに構成することができる。
【００２３】
有利な実施形態では、ブロック／ロック機構は、ロック部ごとにブロックラッチを備える。各ロック部は、開放位置でドアの枢動及び保持用のヒンジに逆らって直接装着され、このタイプの装着によって、航空機の相対方位角でドアのいかなる移動もブロックすることを可能にしている。
【００２４】
この装着は、ドア骨組の各ロックの逆取り付け具を備えるドア端上のロック部から通常の位置付けを避けることを可能にする。
【００２５】
都合がいいことに、ロック／ロック解除機構（規定に記載の「危険である」ドアのための）は、ラッチ及び逆ラッチ部が、各ロック部と連結した組み立て体をブロックすることにより形成される。各組立体では、逆ラッチ及びロック部は、同じロックシャフトに装着され、単一の部品を形成する。
更に詳細には：
−ラッチはロック部を覆い、所定位置にラッチを保持するように構成されて、ドアをしっかりと固定された状態に保つ。
−逆ラッチは、ラッチ内部で突出部を形成するように構成され、ロック機構の破損が生じるとき、ストッパを構築することを可能にする。
【００２６】
別の有利な実施形態では、氷破壊機構もまた、ストリップをグループ化する機構に一体化される。この氷破壊機構は、メインシャフトに装着される破壊カムをストリップの各先端に備える。各カムは、リターンスプリングに接続された枢動するランプ部によって誘導され、順に、内部ハンドルによるロックシャフトの作動によって、客室の内部の方へ、最小の幅を有するドア開放シーケンスを開始し、ドアの外層に、特定の、例えば２．５ｍｍの標準的な厚みの氷厚を壊す。このドアの第１の移動は、氷及び霜の層が胴体を覆っている場合には、氷を引き離して／壊すように設計されている。
【００２７】
これらの状態では、この氷破壊機構は、内部ハンドルからメインシャフトを作動させることによって直接開始されるので、ラッチとロック部の組立体のロック／ロック解除機構から独立している。
【００２８】
好ましくは、ストリップをグループ化するドア開放機構は、窓より上に水平に延在し、ドアが、非常用ドアの上部端と実質的に一致する水平軸に従い枢動することによって開放できるようになる。フラップは、ストリップで位置付けられ、及び／又は、窓の下に並置され、メインシャフト及びフラップのブロック用シャフトを接続する連結用接続棒と接続される。
【００２９】
本発明は、航空機の翼の上に位置するこのタイプの航空機非常口ドアの開放／閉鎖方法に関し、客室の避難ができるようにするために、ドアの閉鎖カイネマチックスが、逆の順序で上記開放工程を繰り返えす。本方法は、航空機胴体の骨組に配置されるドアのための実行する開放カイネマチックスから成り、メインシャフト周辺の枢動シーケンスで内部ハンドルに用いられる単一動作によって連続して開始される以下の一連の工程に応じて、ドアは、その輪郭が胴体に合わせられた状態で閉鎖位置にある初期状態から始まり：
−客室と航空機の外部との間の圧力変動が特定の残差値より低いときに、条件付き開放機構の通気フラップを開放する第１の工程と。
−メインシャフトを解放することによってロック解除を完了するように、ロック部をブロック解除し、これらのブロック解除されたロック部を格納するためにラッチ移動の作動によってブロック解除／ロック解除する工程と。
−客室の内部の方へドアの傾斜移動を起こし、メインシャフトの回転によってドアを開放する工程と。
−ドアの骨組の中への誘導及び胴体ストッパのバイパス部と共同して、胴体と平行に実質的に並進する工程と。
−横に配置されるアクチュエータによって、この回転が支援され、ヒンジの回転軸周辺で同調するドアを枢動する工程とから成る。
【００３０】
好ましくは、ドアの並進工程は、その自重によって容易になる下降工程である。
【００３１】
好適な機能的特性によれば：
−所定の閾値より高い、航空機の内部と外部との間の過圧状態が実現している間、条件付き開放機構をブロックして、第１の工程の間に通気フラップの開放を防止し。
−最小の幅で客室の内部の方へドアを開放する予備工程は、メインシャフトに装着するカムの回転の始動によって開始され、レバー及びリターンスプリングと共同して、この工程がブロック解除／ロック解除工程の後実施され。
−予備回転の開始は、氷を破壊するように設計されており、カムの適切な構成に従う前後に動く回転／逆回転よって実施される。
【図面の簡単な説明】
【００３２】
本発明の他のデータ、特徴、及び利点は、単に非限定的実施例として提供された本発明の実施形態を記載する以下を読むことにより明らかになるであろう。これらの詳細な実施形態には、実施された手段の組み合わせのより良好な視覚化及び理解のために図が付随し、これらの図がそれぞれ表している：
【図１】側面図（図２）でより良好な視認性のためのドアフラップの切り抜きによる、条件付き開放機構の斜視図における側面図である。
【図２】側面図（図２）でより良好な視認性のためのドアフラップの切り抜きによる、条件付き開放機構の斜視図における側面図である。
【図３】ドアフラップの開放移動を例示している条件付き開放機構の断面図における側面図である。
【図４】条件付き開放機構のブロック解除に関する、図３より詳細な側面図である。
【図５ａ】通常の圧力状態での通気フラップの基本的な開放シーケンスに関する、開放機構の断面図における側面図である。
【図５ｂ】通常の圧力状態での通気フラップの基本的な開放シーケンスに関する、開放機構の断面図における側面図である。
【図５ｃ】通常の圧力状態での通気フラップの基本的な開放シーケンスに関する、開放機構の断面図における側面図である。
【図５ｄ】通常の圧力状態での通気フラップの基本的な開放シーケンスに関する、開放機構の断面図における側面図である。
【図５ｅ】通常の圧力状態での通気フラップの基本的な開放シーケンスに関する、開放機構の断面図における側面図である。
【図５ｆ】通常の圧力状態での通気フラップの基本的な開放シーケンスに関する、開放機構の断面図における側面図である。
【図６ａ】ドア構造体の外面が氷層で覆われた場合、通気フラップの一連の開放を例示する開放機構の断面図における側面図である。
【図６ｂ】ドア構造体の外面が氷層で覆われた場合、通気フラップの一連の開放を例示する開放機構の断面図における側面図である。
【図６ｃ】ドア構造体の外面が氷層で覆われた場合、通気フラップの一連の開放を例示する開放機構の断面図における側面図である。
【図７ａ】通気フラップの開放を防ぐシーケンスを例示している開放機構の断面図における側面図である。
【図７ｂ】通気フラップの開放を防ぐシーケンスを例示している開放機構の断面図における側面図である。
【図７ｃ】通気フラップの開放を防ぐシーケンスを例示している開放機構の断面図における側面図である。
【図８ａ】開放機構、特にブロック／ロック機構を組み込んでいるドアストリップの正面図及び拡大図である。
【図８ｂ】開放機構、特にブロック／ロック機構を組み込んでいるドアストリップの正面図及び拡大図である。
【図９ａ】ブロック／ロック機構の断面図及び斜視図における図面である。
【図９ｂ】ブロック／ロック機構の断面図及び斜視図における図面である。
【図１０ａ】ドアの前後に動く移動シーケンスの６つの連続した瞬間を例示する破壊機構の断面図における側面図である。
【図１０ｂ】ドアの前後に動く移動シーケンスの６つの連続した瞬間を例示する破壊機構の断面図における側面図である。
【図１０ｃ】ドアの前後に動く移動シーケンスの６つの連続した瞬間を例示する破壊機構の断面図における側面図である。
【図１０ｄ】ドアの前後に動く移動シーケンスの６つの連続した瞬間を例示する破壊機構の断面図における側面図である。
【図１０ｅ】ドアの前後に動く移動シーケンスの６つの連続した瞬間を例示する破壊機構の断面図における側面図である。
【図１０ｆ】ドアの前後に動く移動シーケンスの６つの連続した瞬間を例示する破壊機構の断面図における側面図である。
【図１１】ドアの上部ローラーの胴体骨組ガイド２００及び胴体骨組ストッパの側面図である。
【図１２ａ】本発明に従った非常口ドアの斜視図における全体的な内外の概観である。
【図１２ｂ】本発明に従った非常口ドアの斜視図における全体的な内外の概観である。
【図１３ａ】窓の下に並置された通気フラップと、１つが窓の上に配置され、もう一方が窓の下に並置される２つの通気フラップをそれぞれ備える非常口ドアの正面図である。
【図１３ｂ】窓の下に並置された通気フラップと、１つが窓の上に配置され、もう一方が窓の下に並置される２つの通気フラップをそれぞれ備える非常口ドアの正面図である。
【発明を実施するための形態】
【００３３】
本明細書では、「上部」、「下部」、「上方」、及び「下方」と称する場所は、地上又は巡航飛行での航空機の機素についての標準的な構造箇所に関する。「横方向」という用語は、航空機の胴体に垂直な平面に関する。
【００３４】
通気フラップ１１０を備える条件付き開放機構１００は、図１及び図２の斜視図における図面に例示したように、航空機（より良好な視認性のために図２にて切り抜かれているフラップを備える）のそれぞれの内部及び外部が、ドア１０及びメインシャフト１０２に関節でつながれている内部ハンドル１に配置される通気フラップを組み合わせており：フラップ１１０は、（不適切なドアの閉鎖の場合）与圧と、ハンドル１の操作と、標準的な加圧状態でのドア開放の制限と、乱された状態のドア開放を防止するためにある。この機構１００もまた、ドアが標準より高い与圧状態の客室の内部から開放するのを妨げるために用いられている。外圧については−例えば航空機の急速降下の間、又は、フラップの外面上に圧力を及ぼす傾向がある負の動的空気力があるときにさえ、表面は航空機の外部に位置し、−条件付き開放機構１００が、下記のブロック／ロック機構のおかげでロック解除もブロック解除もされない。
【００３５】
図１で例示される条件付き開放機構１００は、リターンスプリング３２に反して装着される偏心接続棒１０３によってハンドル１のメインシャフト１０２に連結された通気フラップ１１０から成り、機構は、加圧レバー１２１が装着されるフラップ１１０と一体であるブロックシャフト１２０から成る枢軸連結部１２（図３参照）から成る。各加圧レバー１２１は、その２つの端でブロックローラー１２２及びブロック解除ローラー１２３を備える。
【００３６】
ブロック／ロック機構のブロックラッチがロック部をブロックするために適所にない場合（図８ａ及び８ｂに関するブロック／ロック機構の以下明細書を参照）、通気フラップ１１０は閉鎖することができず、従って、航空機客室は与圧されない。
【００３７】
所与の閾値、例えば２ｐｓｉより高い客室の圧力の状態下でドアを開放する試みがあった場合、開放機構１００は加圧レバー１２１によってブロック／ブロック解除の機能を用いて、ドアは開放しない。負圧変動の場合、−それゆえ、客室圧力が航空機の外部の圧力より低く、−加圧レバー１２１のブロックローラー１２２は接触して、通気フラップ１１０の開放を防止する。
【００３８】
除氷又はドア上に堆積した氷の破壊のためにドアの予備開放をする場合、通気フラップ１１０の下部端１１１（図２参照）は、偏心軸１０３によって客室内部の方へ押し出される。都合がいいことに、この開放機構１００は、いかなる機械的干渉も防ぐ。
【００３９】
航空機「Ｅ」の外部からフラップ１１０を開放するために、フラップ１１０の外面１１２に設けられている外部開放ボタン１３０を押すことで、開放カム１３１（図２参照）を作動させて、加圧レバー１２１（図１参照）を開放する。このように、開放機構１００は、外部ボタン１３０によってブロック解除され−そのボタンが圧力条件に影響されず−外部ボタン１３０と内部ハンドル１との間に誘導された「遅延」移動のおかげである。この遅延移動はまた、干渉状態での開放、例えば氷を壊すために使用される。
【００４０】
遅延移動は、図３の開放機構１００における横方向の断面図の図にて、より詳細に例示される。内部ハンドル１がメインシャフト１０２に直接装着されている状態で、通気フラップ１１０は、枢軸連結部１２を介してハンドル１と、接触を維持するのに役立つ２つのリターンスプリング３２に接続されている。基準状態（即ち、フラップ１１０上に圧力がなく、ドアの外部に氷がない）では、フラップ１１０及びハンドル１は、共同して移動し、ばね３２によって確実に接触している状態となる。ばね３２の戻りの力より大きい抵抗力がフラップに印加される場合、ハンドル１とフラップ１１０との間に移動の遅延が起こる。
【００４１】
図４のより詳細な側面図は、フラップ１１０からブロック解除ローラー１２３を解放するブロック解除カム４１による各先端での条件付き開放機構１００のブロック解除に関する。
【００４２】
ブロックシャフト１２０上にしっかりと固定されるブロック解除カム４１は、ハンドル１と共に移動する。規準状態では、ドアが内部から開放されるとき、各ブロックローラー１２２は初めに、横方向のドア取り付け部１０ｓ（図５ａ参照）上にしっかりと固定されたストッパ４２と接触状態となる。第２段階では、ブロック解除カム４１は、ブロック解除ローラー１２３を押し出して、ブロックシャフト１２０の回転を強いる。ブロックローラー１２２はストッパから離され、通気フラップ１１０がその開放を続けるために解除される。言い換えると、ストッパ４２上のブロックローラー１２３の接触によって、ブロック解除ローラー１２２がカム４１の下で回転して、それらから解放されることができ、フラップ１１０の開放を解除する。
【００４３】
過剰圧力の状態では、実施例の２ｐｓｉ以上の変動によって、フラップ１１０は開放することができず：ブロックシャフト１２０は、内部ハンドル１を上げるとき回転し、ブロック解除ローラー１２３は、カム４１の下で回転して行き、フラップ１１０は、ブロックされ続ける。実際には、ブロック解除ローラー１２３がカムから離される前に、第１のブロックローラー１２２がストッパ４２と接触して、機構１００をブロックし：フラップ１１０は、開放することができない。
【００４４】
図５ａ〜５ｆの開放機構１００の断面図における側面図が、ハンドル１を下げることによって、通常の圧力状態（即ち残留状態）での通気フラップ１１０の基本的な開放シーケンスに関し：通気フラップ１１０は、ブロックローラー１２２がストッパ４２（図５ａ）から隔置して最初に閉鎖位置にあり。それから、通気フラップ１１０のブロック解除用のローラー１２３は、カム４１（図５ｂ）と接触し。その次に、ブロックローラー１２２はストッパ４２と接触し、ハンドル１とフラップ１１０（図５ｃ）との間に接触による損失を生じさせ。その次に、通気フラップ１１０のブロック解除は、ブロック解除カム４１（図５ｄ）上のブロック解除ローラー１２３の前進と、続いて、ブロックローラー１２２がストッパ４２とハンドル１とフラップ１１０（図５ｅ）との間の接点「Ｋ」から引き出された後、ばね３２の収縮による通気フラップ１１０の回転によって行われ。解除された通気フラップ１１０は、内部ハンドル１が完全に下がったとき（図５ｆ）完全に開放された位置で終える。
【００４５】
図６ａ〜６ｃの断面図における側面図は、ドア構造体６１の外面が、当該フラップの開放を妨げる氷層「Ｇ」で覆われる場合の通気フラップ１１０の開放シーケンスを例示する：通気フラップ１１０は、最初に閉鎖位置（図６ａ）にあり。それから、フラップ１１０は、ハンドル１とフラップ１１０との間の領域Ｋ２における接触損失と、フラップ（矢印Ｆ１）の移動及びフラップ１１０（矢印Ｆ２）（図６ｂ）の誘導されたけん引力を伴って（回転Ｒ１の）ハンドル１に対して回転する。同時に、氷「Ｇ」は、フラップ１１０の周辺部で壊れ、氷の破壊が、誘導されたけん引力（矢印Ｆ２）のおかげでフラップ１１０の底部で始まって、フラップ１１０の残部に伝播して氷を完全に排除する。続いて、ばね３２はハンドル１（図６ｃ）と接触して戻るために、回転する（矢印Ｆ３）フラップ１１０を戻す。
【００４６】
通気フラップ１１０の開放をブロックするシーケンスは、実施例において２ｐｓｉの航空機の外部に対する客室の過剰圧力の場合、図７ａ〜７ｃの側面図よって例示され：通気フラップは、矢印Ｆ４（図７ａ）によって表される客室の過剰圧力によって閉鎖され。その次に（図７ｂ）、ハンドル１の回転シャフト１０２を備えた領域Ｋ３に接触するまで、通気フラップ１１０は回転し（矢印Ｆ５）、その回転が作動させる（矢印Ｒ１）。通気フラップ１１０は、フラップ１１０の上部端の領域Ｋ４でドア構造体６１と接触する過剰圧力（矢印Ｆ４）によって維持されるが、ハンドル１の回転用シャフト１０２と通気フラップ１１０（図７ｂ）との間の接触によって、接点Ｋ５の損失は、ハンドル１とフラップ１１０との間に生じる。ブロックローラー１２２は、ストッパ４２上で支持され、ハンドル１のシャフト１０２及び通気フラップ１１０（図７ｃ）との間の接触が領域Ｋ６で確立される。
【００４７】
より具体的には、上記の機能的な条件付き開放機構と、下記のドア自体を開放し、ロック／ロック解除する機能が、図８ａに例示する本発明の実施例に従って非常口ドアストリップ３にグループ化される。この図８ａは、本発明に記載の客室内部からの部分的な正面図における航空機非常口ドアパネルを示す。ドア１０の窓１６より上に位置する上部１０ａのみ、この図に示される。ドアストリップ３の実施例は、この上部１０ａの切り詰められた空間に延在する。
【００４８】
ドア開放機構は、従来通りにドア骨組における軸線Ｘ´Ｘ周辺で枢動し、その開放位置までドア１０の保持が可能な機能を有する２つのヒンジ８０を備える。ロックシャフト８Ａ上のストリップ３の両側に対になった手段を備える各ヒンジ８０とロック８１との間に、いわゆるブロック／ロック接続機構８も備え、特に、誘導ランプ部８Ｒを回るローラー８ｇにロック部８１が設けられる。これらの接続部の目的は、特に、飛行中の航空機の方位角で、制約にかかわりなく、即ち機構のまれな故障、周囲の機械的干渉、ロック解除に至る負荷などにかかわりなく、ドアのロックを保つことである。
【００４９】
図８ｂにて拡大して示すように、ロックシャフト８Ａは、各ヒンジ８０の下部に装着し、誘導ランプ部８Ｒで可動するローラー８ｇを設けた各ロック部８１は、ロック部８１が対応するヒンジ８０に直接接続するようにロックシャフト８Ａに装着する。方位角「航空機Ｚ」のドア移動は、ロック部８１をロック誘導ランプ部８Ｒと接触させて、機構の解除をしにくくする（即ち「オーバーロック」機構）。ヒンジ８０に装着するロック８１は、ドアが航空機Ｚで移動するのを防止する。
【００５０】
ドア開放機構は、ロック／ロック解除機構が開放を可能にする場合のみ作動することができる。このロック／ロック解除機構８は、より詳しくは図９ａの横方向の断面図における図によって例示される。ヒンジ８０ごとに、この機構は、その誘導ランプ部８Ｒ上のロック部８１と連結したブロックラッチ９１及び逆ラッチ９２システムを備える。
【００５１】
図９ｂの斜視図における視野は、ハンドル１の回転用メインシャフト１０２に装着させたドア開放及びロック／ロック解除機構、並びに軸１０２の端に位置し、氷破壊用の予備開放状態のために設計された破壊カム３０をより全体的に示す。ロック部８１の機能は、飛行状態（加速度、乱気流、低圧など）にかかわりなくドアを閉鎖するように保つことである。ブロックラッチ９１の機能は、故障がロック／ロック解除機構で生じた場合、ロックすることによってドアをしっかりと固定し続けることである。このように、逆ラッチ９２の機能は、ラッチ９１を保持して、システムをオーバーブロックしやすいように正のモーメントを生み出すことによって、所定位置にロック部８１を保ち、それで、機構の逆エントレイメントを防止することである。
【００５２】
都合がいいことに、逆ラッチ９２及びロック部８１は、従来の構造のような逆ラッチ及びロック部が分かれている場合のように、各々が同じ機能を実行するが、単一部品９０を形成する。ラッチ９１及び逆ラッチ９２は、環の形状を有する。逆ラッチ９２は、ロック機構の破損が生じた場合、その内面の内部でストッパを設けるためにラッチ９１に入る。ストッパが働く場合、ラッチはオーバーブロックしやすくなる。ロック８３及びブロック９３用の圧縮ばねを備える接続棒は、ロック部８１及びラッチ部９１が、戻り力を用いることによって各々をしっかりと固定するために存在する。
【００５３】
破壊機構によるドア開放の予備工程を適切に視覚化するために、図１０ａ〜１０ｆの断面における側面図は、最小限の幅で客室２０の内部の方へドア１０の前後に動く予備移動シーケンスの６つの連続した瞬間を示す。この工程は、メインシャフト１０２に装着した破壊カム３０の回転の開始によって実施され、枢動するランプ部として作用する破壊レバー３１に各々が誘導される。各破壊レバー３１は、リターンスプリング３３の末端部３２で装着される。カム３０、レバー３１、及びばね３２は、ドア６１の外部構造体（図６ａ〜６ｃ参照）で氷又は霜が航空機胴体に堆積した場合には、氷破壊機構を形成する。ドア１０は、その初期の閉鎖位置から客室内部の方へ最初に移動し、氷の破壊が引き起こされる。
【００５４】
従って、この予備工程は、氷、概してドア６１の外部構造体上の２．５ｍｍの氷厚の破壊を実行することを可能にする。この工程は、通気フラップ１１０を開放する工程の後、ヒンジ８１のブロック解除の直後に実行される。
【００５５】
都合がいいことに、提示する構成は、ラッチロック部のロック解錠のシーケンスから独立し、内部ハンドル１よりロック部のシャフトを作動させることによって直接作動させ、従来の構成に反して、氷を破壊するためのドア移動が、移動及びロック部のカイネマチックスよって確定される。
【００５６】
シーケンス（図１０ｆ参照）の終わりに、ラッチ９１／逆ラッチ９２／ロック部８１（図９ａ参照）のシステム機構によるブロック解除／ロック解除と、付随する破壊レバー３１の破壊カム３０の解放後、ドアの下降移動が始まる。
【００５７】
図１１は、ドア下降におけるドア１０の上部ローラー２１０ａ用の胴体骨組ガイド２００と、胴体骨組のストッパ２２０のバイパス部を例示する。ドア１０の側面から来ているローラー２１０ａは、胴体の骨組に形成したガイドランプ部２００で回り、ドア１０は、胴体２２０の下部ストッパをバイパスすることによって、低い位置に到達する。
【００５８】
図１２ａ及び１２ｂは、内部及び外部斜視図それぞれにおける非常口ドア１０の全体的表示を例示する。低い位置のドア１０は、ヒンジ８０の回転用の軸線Ｘ´Ｘ周辺で回転エントレイメントによる枢動のために配置される。ヒンジ８０と同じシャフトＡｘに横方向に装着させた２つのアクチュエータ１８は、この回転を容易にする。これらの図は、上部ドアガイドローラ２１０ａ、横方向の側面１１ｆ上のドアストッパ１３、ロック／ブロック検出器１２、手動握持用のストラップ１４、有利には（０ｐｓｉ〜ばね較正用に用いられる圧力、実施例ではほぼ１ｐｓｉの安全性が低い場合）、飛行ロック部１５として知られている安全な飛行中のドアブロックシステム、（航空機胴体の他の客席側ウインドのように同一寸法を有する）窓１６、及び外部からドアを開放するためのボタン１３０を備える外部ハンドル１７を形成している通気フラップ１１０も示す。
【００５９】
本発明は、記載し説明された実施形態に制限されるものではない。
【００６０】
本発明は、フラップ１１０を備えた接続によって一体化した開放機構の多機能の組み合わせに関する。この接続は、例えば図１又は２よって例示されるように、フラップが内部ハンドル１の下に配置されるか、（与圧値に従って）このフラップの寸法及び利用可能な空間を理由として、フラップ１１０のオフセット位置に適応されるいずれの場合も、直接することができる。
【００６１】
このタイプのフラップ１１０は、窓１６の下にオフセットされ、客室内部から図１３ａにおける非常口ドア１０の正面図によって例示される。フラップ１１０の開放を作動させるために、連結用接続棒３１０は、フラップ１１０のメインシャフト１０２及びブロックシャフト１２０を接続する。変異型として、図１３ｂにおけるドア１０”の正面図を参照すると、２つのフラップ１１０を、図１又は２、即ち窓１６の上下にて上述した２つの位置で使用することができる。
【図１】
0006804529.tif 000002
【図２】
0006804529.tif 000003
【図３】
0006804529.tif 000004
【図４】
0006804529.tif 000005
【図５ａ】
0006804529.tif 000006
【図５ｂ】
0006804529.tif 000007
【図５ｃ】
0006804529.tif 000008
【図５ｄ】
0006804529.tif 000009
【図５ｅ】
0006804529.tif 000010
【図５ｆ】
0006804529.tif 000011
【図６ａ】
0006804529.tif 000012
【図６ｂ】
0006804529.tif 000013
【図６ｃ】
0006804529.tif 000014
【図７ａ】
0006804529.tif 000015
【図７ｂ】
0006804529.tif 000016
【図７ｃ】
0006804529.tif 000017
【図８ａ】
0006804529.tif 000018
【図８ｂ】
0006804529.tif 000019
【図９ａ】
0006804529.tif 000020
【図９ｂ】
0006804529.tif 000021
【図１０ａ】
0006804529.tif 000022
【図１０ｂ】
0006804529.tif 000023
【図１０ｃ】
0006804529.tif 000024
【図１０ｄ】
0006804529.tif 000025
【図１０ｅ】
0006804529.tif 000026
【図１０ｆ】
0006804529.tif 000027
【図１１】
0006804529.tif 000028
【図１２ａ】
0006804529.tif 000029
【図１２ｂ】
0006804529.tif 000030
【図１３ａ】
0006804529.tif 000031
【図１３ｂ】
0006804529.tif 000032